(57)【要約】【課題】内視鏡画像閲覧プログラムをパーソナルコンピュータにインストールすること無しに内視鏡画像閲覧プログラムを実行することが可能な内視鏡システム、及び内視鏡画像閲覧方法を提供すること。【解決手段】被観察体の内部を撮像し前記撮像した画像データを記録媒体上に記録する内視鏡装置と、前記内視鏡装置によって記録された画像データを閲覧するための実行可能な内視鏡画像閲覧プログラムと、前記内視鏡閲覧プログラムを実行するためのパーソナルコンピュータとを備えた内視鏡システムであって、前記内視鏡画像閲覧プログラムが、可搬記録媒体から前記パーソナルコンピュータが有する補助記憶装置に複写され、前記補助記憶装置から読み出されて実行される。【選択図】図１
2008295504.tif 000002
【特許請求の範囲】
【請求項１】
被観察体の内部を撮像し前記撮像した画像データを記録媒体上に記録する内視鏡装置と、
前記内視鏡装置によって記録された画像データを閲覧するための実行可能な内視鏡画像閲覧プログラムと、
前記内視鏡閲覧プログラムを実行するためのパーソナルコンピュータと、
を備えた内視鏡システムであって、
前記内視鏡画像閲覧プログラムは、可搬記録媒体から前記パーソナルコンピュータが有する補助記憶装置に複写され、前記補助記憶装置から読み出されて実行されることを特徴とする内視鏡システム。
【請求項２】
被観察体の内部を撮像し前記撮像した画像データを記録媒体上に記録する内視鏡装置と、
前記内視鏡装置によって記録された画像データを閲覧するための実行可能な内視鏡画像閲覧プログラムと、
前記内視鏡閲覧プログラムを実行するためのパーソナルコンピュータと、
を備えた内視鏡システムであって、
前記内視鏡画像閲覧プログラムは、前記パーソナルコンピュータが有する可搬記録媒体駆動装置で駆動可能な可搬記録媒体に格納され、前記可搬記録媒体駆動装置によって読み出されて実行されることを特徴とする内視鏡システム。
【請求項３】
被観察体の内部を撮像し前記撮像した画像データを記録媒体上に記録する内視鏡装置と、
前記内視鏡装置によって記録された画像データを閲覧するための実行可能な内視鏡画像閲覧プログラムと、
前記内視鏡閲覧プログラムを実行するためのパーソナルコンピュータと、
を備えた内視鏡システムであって、
前記内視鏡画像閲覧プログラムは、前記内視鏡装置が前記画像データを記録する前記記録媒体に格納され、前記記録媒体を駆動する記録媒体駆動装置によって読み出されて実行されることを特徴とする内視鏡システム。
【請求項４】
前記内視鏡画像閲覧プログラムは、前記内視鏡装置が前記画像データを前記記録媒体に記録する際に前記内視鏡装置から前記記録媒体に複写されることを特徴とする請求項３に記載の内視鏡システム。
【請求項５】
前記内視鏡画像閲覧プログラムは、前記記録媒体から前記パーソナルコンピュータが有する補助記憶装置に移動され、前記補助記憶装置から読み出されて実行されることを特徴とする請求項３又は４に記載の内視鏡システム。
【請求項６】
被観察体の内部を撮像し前記撮像した画像データを記録媒体上に記録する内視鏡装置と、
前記内視鏡装置によって記録された画像データを閲覧するための実行可能な内視鏡画像閲覧プログラムと、
前記内視鏡閲覧プログラムを実行するためのパーソナルコンピュータと、
を備えた内視鏡システムにおける内視鏡画像閲覧方法であって、
可搬記録媒体から前記パーソナルコンピュータが有する補助記憶装置に前記内視鏡画像閲覧プログラムを複写し、
前記補助記憶装置上の前記内視鏡画像閲覧プログラムを読み出して実行することを特徴とする内視鏡画像閲覧方法。
【請求項７】
被観察体の内部を撮像し前記撮像した画像データを記録媒体上に記録する内視鏡装置と、
前記内視鏡装置によって記録された画像データを閲覧するための実行可能な内視鏡画像閲覧プログラムと、
前記内視鏡閲覧プログラムを実行するためのパーソナルコンピュータと、
を備えた内視鏡システムにおける内視鏡画像閲覧方法であって、
可搬記録媒体に格納された前記内視鏡画像閲覧プログラムを、前記パーソナルコンピュータが有する可搬記録媒体駆動装置によって読み出して実行することを特徴とする内視鏡画像閲覧方法。
【請求項８】
被観察体の内部を撮像し前記撮像した画像データを記録媒体上に記録する内視鏡装置と、
前記内視鏡装置によって記録された画像データを閲覧するための実行可能な内視鏡画像閲覧プログラムと、
前記内視鏡閲覧プログラムを実行するためのパーソナルコンピュータと、
を備えた内視鏡システムにおける内視鏡画像閲覧方法であって、
前記画像データとともに前記記録媒体に格納された前記内視鏡画像閲覧プログラムを、前記パーソナルコンピュータが有する記録媒体駆動装置によって読み出して実行することを特徴とする内視鏡画像閲覧方法。
【請求項９】
前記内視鏡装置が前記画像データを前記記録媒体に記録する際に、前記内視鏡画像閲覧プログラムを前記内視鏡装置から前記記録媒体に複写することを特徴とする請求項８に記載の内視鏡画像閲覧方法。
【請求項１０】
前記記録媒体から前記パーソナルコンピュータが有する補助記憶装置に前記内視鏡画像閲覧プログラムを複写し、
前記補助記憶装置上の前記内視鏡画像閲覧プログラムを読み出して実行することを特徴とする請求項８又は９に記載の内視鏡画像閲覧方法。
【発明の詳細な説明】
【技術分野】
【０００１】
本発明は、内視鏡装置、パーソナルコンピュータ及び内視鏡画像閲覧プログラムを備える内視鏡システム、並びに前記内視鏡システムをもちいて内視鏡画像を閲覧する内視鏡画像閲覧方法に関し、特に、内視鏡画像閲覧プログラムをパーソナルコンピュータにインストールすること無く内視鏡画像を閲覧することが可能な技術に関する。
【背景技術】
【０００２】
従来、内視鏡装置で撮像した画像を閲覧するためには、閲覧をするための内視鏡画像閲覧プログラムをパーソナルコンピュータにインストールしていた。
図５は、従来の内視鏡システムを説明するための図であり、図６は、内視鏡画像閲覧プログラムのインストールを説明するための図である。
【０００３】
図５において、内視鏡システム５００は、例えば航空機エンジンのブレード検査や電力配管の内部検査等を用途として、人が入り込み難い機械内部や管腔内等を観察する工業用の内視鏡装置５１０と、内視鏡装置５１０が撮像した画像データ５１２を閲覧するための内視鏡画像閲覧プログラム５２２がハードディスク５２１上にインストールされたパーソナルコンピュータ５２０とを備えている。内視鏡装置５１０が撮像した画像データ５１２は、メモリカード５１１を介して、又はＵＳＢケーブル５４０を用いてパーソナルコンピュータ５２０上に転送され、内視鏡画像閲覧プログラム５２２を実行することにより閲覧可能となる。
【０００４】
内視鏡画像閲覧プログラム５２２の実行により画像データ５１２の閲覧を可能にするためには、パーソナルコンピュータ５２０において、バス５２３を介してハードディスク５２１及びＲＡＭ５２４と互いに接続されたＣＰＵ５２５が、ハードディスク５２１上の内視鏡画像閲覧プログラム５２２をＲＡＭ５２４に読み出して実行する。
【０００５】
このような内視鏡システム５００を構築するためには、内視鏡画像閲覧プログラム５２２をパーソナルコンピュータ５２０にインストールする必要がある。インストールは、内視鏡画像閲覧プログラム５２２をインストールするためのインストール用プログラム（以下、インストーラという。）５３１を実行することにより、内視鏡画像閲覧アプリ５３２がパーソナルコンピュータ５２０上で展開されて内視鏡画像閲覧プログラム５２２としてパーソナルコンピュータ５２０に格納されることにより行なわれる。ここで、内視鏡画像閲覧アプリ５３２は、それ自身では実行することが不可能なファイルセットであり、内視鏡画像閲覧プログラム５２２は、それ自身で実行可能な実行モジュールである。
【０００６】
従来、内視鏡画像閲覧アプリ５３２とインストーラ５３１の提供は、図６に示すように、内視鏡画像閲覧アプリ５３２とインストーラ５３１とを記録させたＣＤ−ＲＯＭ５３０等の記録媒体を用いたり、インターネット５５０等を介して通信ネットワーク上のサイト５６０から内視鏡画像閲覧アプリ５３２とインストーラ５３１とをダウンロードできるようにしたりして対応していた（例えば、特許文献１参照。）。
【特許文献１】特開２００３−２５６２１０号公報
【発明の開示】
【発明が解決しようとする課題】
【０００７】
しかしながら、パーソナルコンピュータの操作に不慣れなユーザにとっては、パーソナルコンピュータに内視鏡画像閲覧プログラムをインストールすることが困難であるという問題点があった。
【０００８】
また、会社等の組織が所有するパーソナルコンピュータのような場合、その管理上の理由からパーソナルコンピュータに内視鏡画像閲覧プログラム等のような外部アプリケーションプログラムのインストールを制限しているケースもあり、内視鏡画像閲覧プログラムをパーソナルコンピュータに自由自在にインストールすることができないという問題点があった。
【０００９】
本発明は、上述のような実状に鑑みたものであり、内視鏡画像閲覧プログラムをパーソナルコンピュータにインストールすること無しに内視鏡画像閲覧プログラムを実行することが可能な内視鏡システム、及び内視鏡画像閲覧方法を提供することを目的とする。
【課題を解決するための手段】
【００１０】
本発明は、上記課題を解決するため、下記のような構成を採用した。
すなわち、本発明の一態様によれば、本発明の内視鏡システムは、被観察体の内部を撮像し前記撮像した画像データを記録媒体上に記録する内視鏡装置と、前記内視鏡装置によって記録された画像データを閲覧するための実行可能な内視鏡画像閲覧プログラムと、前記内視鏡閲覧プログラムを実行するためのパーソナルコンピュータとを備えた内視鏡システムであって、前記内視鏡画像閲覧プログラムが、可搬記録媒体から前記パーソナルコンピュータが有する補助記憶装置に複写され、前記補助記憶装置から読み出されて実行されることを特徴とする。
【００１１】
また、本発明の一態様によれば、本発明の内視鏡システムは、被観察体の内部を撮像し前記撮像した画像データを記録媒体上に記録する内視鏡装置と、前記内視鏡装置によって記録された画像データを閲覧するための実行可能な内視鏡画像閲覧プログラムと、前記内視鏡閲覧プログラムを実行するためのパーソナルコンピュータとを備えた内視鏡システムであって、前記内視鏡画像閲覧プログラムが、前記パーソナルコンピュータが有する可搬記録媒体駆動装置で駆動可能な可搬記録媒体に格納され、前記可搬記録媒体駆動装置によって読み出されて実行されることを特徴とする。
【００１２】
また、本発明の一態様によれば、本発明の内視鏡システムは、被観察体の内部を撮像し前記撮像した画像データを記録媒体上に記録する内視鏡装置と、前記内視鏡装置によって記録された画像データを閲覧するための実行可能な内視鏡画像閲覧プログラムと、前記内視鏡閲覧プログラムを実行するためのパーソナルコンピュータとを備えた内視鏡システムであって、前記内視鏡画像閲覧プログラムが、前記内視鏡装置が前記画像データを記録する前記記録媒体に格納され、前記記録媒体を駆動する記録媒体駆動装置によって読み出されて実行されることを特徴とする。
【００１３】
また、本発明の内視鏡システムは、前記内視鏡画像閲覧プログラムが、前記内視鏡装置が前記画像データを前記記録媒体に記録する際に前記内視鏡装置から前記記録媒体に複写されることが望ましい。
【００１４】
また、本発明の内視鏡システムは、前記内視鏡画像閲覧プログラムが、前記記録媒体から前記パーソナルコンピュータが有する補助記憶装置に移動され、前記補助記憶装置から読み出されて実行されることが望ましい。
【００１５】
また、本発明の一態様によれば、本発明の内視鏡画像閲覧方法は、被観察体の内部を撮像し前記撮像した画像データを記録媒体上に記録する内視鏡装置と、前記内視鏡装置によって記録された画像データを閲覧するための実行可能な内視鏡画像閲覧プログラムと、前記内視鏡閲覧プログラムを実行するためのパーソナルコンピュータとを備えた内視鏡システムにおける内視鏡画像閲覧方法であって、可搬記録媒体から前記パーソナルコンピュータが有する補助記憶装置に前記内視鏡画像閲覧プログラムを複写し、前記補助記憶装置上の前記内視鏡画像閲覧プログラムを読み出して実行することを特徴とする。
【００１６】
また、本発明の一態様によれば、本発明の内視鏡画像閲覧方法は、被観察体の内部を撮像し前記撮像した画像データを記録媒体上に記録する内視鏡装置と、前記内視鏡装置によって記録された画像データを閲覧するための実行可能な内視鏡画像閲覧プログラムと、前記内視鏡閲覧プログラムを実行するためのパーソナルコンピュータとを備えた内視鏡システムにおける内視鏡画像閲覧方法であって、可搬記録媒体に格納された前記内視鏡画像閲覧プログラムを、前記パーソナルコンピュータが有する可搬記録媒体駆動装置によって読み出して実行することを特徴とする。
【００１７】
また、本発明の一態様によれば、本発明の内視鏡画像閲覧方法は、被観察体の内部を撮像し前記撮像した画像データを記録媒体上に記録する内視鏡装置と、前記内視鏡装置によって記録された画像データを閲覧するための実行可能な内視鏡画像閲覧プログラムと、前記内視鏡閲覧プログラムを実行するためのパーソナルコンピュータとを備えた内視鏡システムにおける内視鏡画像閲覧方法であって、前記画像データとともに前記記録媒体に格納された前記内視鏡画像閲覧プログラムを、前記パーソナルコンピュータが有する記録媒体駆動装置によって読み出して実行することを特徴とする。
【００１８】
また、本発明の内視鏡画像閲覧方法は、前記内視鏡装置が前記画像データを前記記録媒体に記録する際に、前記内視鏡画像閲覧プログラムを前記内視鏡装置から前記記録媒体に複写することが望ましい。
【００１９】
また、本発明の内視鏡画像閲覧方法は、前記記録媒体から前記パーソナルコンピュータが有する補助記憶装置に前記内視鏡画像閲覧プログラムを複写し、前記補助記憶装置上の前記内視鏡画像閲覧プログラムを読み出して実行することが望ましい。
【発明の効果】
【００２０】
本発明によれば、内視鏡装置が撮像した画像を閲覧するための内視鏡画像閲覧プログラムが、実行モジュールとして供給されるので、インストールが制限されているパーソナルコンピュータであっても内視鏡画像閲覧プログラムを実行することが可能となる。
【発明を実施するための最良の形態】
【００２１】
以下、本発明の実施の形態について図面を参照しながら説明する。
図１は、第１の実施の形態を説明するための図である。
図１に示すように、内視鏡装置５１０によって撮像された被観察体の内部の画像データ５１２を閲覧するための内視鏡画像閲覧プログラム１３２は、ＣＤ−ＲＯＭ１３０等の可搬記録媒体に実行可能なモジュールとして格納された状態で提供される。あるいは、内視鏡画像閲覧プログラム１３２は、所定のサイト１６０上に格納されており、インターネット５５０を介して実行可能なモジュールで提供される。すなわち、内視鏡画像閲覧プログラム１３２は、メモリカード５１１等の記録媒体に格納された画像データ５１２と同様の単なるデータファイルであるので、特に制限されること無くパーソナルコンピュータ５２０が有するハードディスク５２１、フラッシュメモリ等の補助記憶装置に複写又はダウンロードされる。
【００２２】
そして、パーソナルコンピュータ５２０において、バス５２３を介してハードディスク５２１及びＲＡＭ５２４と互いに接続されたＣＰＵ５２５が、ハードディスク５２１上の内視鏡画像閲覧プログラム１３２をＲＡＭ５２４に読み出して実行することにより、画像データ５１２の閲覧を可能にする。
【００２３】
図２は、第２の実施の形態を説明するための図である。
図２に示すように、内視鏡装置５１０によって撮像された被観察体の内部の画像データ５１２を閲覧するための内視鏡画像閲覧プログラム１３２は、図１を用いて説明した第１の実施の形態と同様、ＣＤ−ＲＯＭ１３０等の可搬記録媒体に実行可能なモジュールとして格納された状態で提供される。
【００２４】
そして、内視鏡画像閲覧プログラム１３２は、メモリカード５１１等の記録媒体に格納された画像データ５１２と同様の単なるデータファイルであるので、特に制限されること無くＣＤ−ＲＯＭ１３０に格納された状態のまま、前記パーソナルコンピュータ５２０が有する、ＣＤ−ＲＯＭドライブ等の可搬記録媒体駆動装置５２６によって読み出され実行される。より具体的には、パーソナルコンピュータ５２０において、バス５２３を介して可搬記録媒体駆動装置５２６及びＲＡＭ５２４と互いに接続されたＣＰＵ５２５が、可搬記録媒体駆動装置５２６を駆動してＣＤ−ＲＯＭ１３０上の内視鏡画像閲覧プログラム１３２をＲＡＭ５２４に読み出し、読み出した内視鏡画像閲覧プログラム１３２を実行することにより、画像データ５１２の閲覧を可能にする。
【００２５】
図３は、第３の実施の形態を説明するための図である。
図３（ａ）に示すように、内視鏡装置５１０によって撮像された被観察体の内部の画像データ５１２を閲覧するための内視鏡画像閲覧プログラム１３２は、前記内視鏡装置５１０が前記画像データ５１２を記録するメモリカード１１１等の記録媒体に、予め実行可能なモジュールとして格納された状態で提供される。そして、図３（ｂ）に示すように、内視鏡装置５１０によって内視鏡画像閲覧プログラム１３２が格納されたメモリカード１１１に、画像データ５１２を記録する。
【００２６】
そして、図３（ｃ）に示すように、内視鏡画像閲覧プログラム１３２は、図２を用いて説明した第２の実施の形態と同様、メモリカード１１１に格納された状態のまま、前記パーソナルコンピュータ５２０が有する、メモリカード読取装置等の記録媒体駆動装置５２７によって読み出され実行される。より具体的には、パーソナルコンピュータ５２０において、バス５２３を介して記録媒体駆動装置５２７及びＲＡＭ５２４と互いに接続されたＣＰＵ５２５が、記録媒体駆動装置５２７を駆動してメモリカード１１１上の内視鏡画像閲覧プログラム１３２をＲＡＭ５２４に読み出し、読み出した内視鏡画像閲覧プログラム１３２を実行することにより、画像データ５１２の閲覧を可能にする。
【００２７】
あるいは、図１を用いて説明した第１の実施の形態と同様、内視鏡画像閲覧プログラム１３２をパーソナルコンピュータ５２０が有するハードディスク５２１に複写し、パーソナルコンピュータ５２０によってハードディスク５２１から読み出して実行してもよい。
【００２８】
図４は、第４の実施の形態を説明するための図である。
第４の実施の形態で用いるメモリカード５１１等の記録媒体は、上述の第３の実施の形態と異なり、図４（ａ）に示すように、従来と同様、画像データ５１２はもちろん、内視鏡画像閲覧プログラム１３２も格納されていない。
【００２９】
そして、図４（ｂ）に示すように、内視鏡装置５１０によって撮像された被観察体の内部の画像データ５１２を閲覧するための内視鏡画像閲覧プログラム１３２は、内視鏡装置５１０が有する内部メモリ１１３に格納されており、撮像された被観察体の内部の画像データ５１２をメモリカード５１１に格納する際に、実行可能なモジュールとしてメモリカード５１１に複写される。
【００３０】
そして、図３を用いて説明した第３の実施の形態と同様、内視鏡画像閲覧プログラム１３２は、メモリカード５１１に格納された状態で前記パーソナルコンピュータ５２０が有する記録媒体駆動装置５２７によって読み出され実行される。あるいは、内視鏡画像閲覧プログラム１３２をパーソナルコンピュータ５２０が有するハードディスク５２１に複写し、パーソナルコンピュータ５２０によってハードディスク５２１から読み出して実行される。
【００３１】
以上、本発明を適用した実施の形態を説明してきたが、本発明はその機能が実行されるのであれば、上述の実施の形態に限定されることなく、本発明の要旨を逸脱しない範囲内で種々の構成または形状を取ることができる。
【図面の簡単な説明】
【００３２】
【図１】第１の実施の形態を説明するための図である。
【図２】第２の実施の形態を説明するための図である。
【図３】第３の実施の形態を説明するための図である。
【図４】第４の実施の形態を説明するための図である。
【図５】従来の内視鏡システムを説明するための図である。
【図６】内視鏡画像閲覧プログラムのインストールを説明するための図である。
【符号の説明】
【００３３】
１１０  内視鏡装置
１１１  メモリカード
１１３  内部メモリ
１３０  ＣＤ−ＲＯＭ
１３２  内視鏡画像閲覧プログラム
１６０  サイト
５００  内視鏡システム
５１０  内視鏡装置
５１１  メモリカード
５１２  画像データ
５２０  パーソナルコンピュータ
５２１  ハードディスク
５２２  内視鏡画像閲覧プログラム
５２３  バス
５２４  ＲＡＭ
５２５  ＣＰＵ
５２６  可搬記録媒体駆動装置
５２７  記録媒体駆動装置
５３０  ＣＤ−ＲＯＭ
５３１  インストール用プログラム（インストーラ）
５３２  内視鏡画像閲覧アプリ
５４０  ＵＳＢケーブル
５５０  インターネット
５６０  サイト
【図１】
2008295504.tif 000003
【図２】
2008295504.tif 000004
【図３】
2008295504.tif 000005
【図４】
2008295504.tif 000006
【図５】
2008295504.tif 000007
【図６】
2008295504.tif 000008